(57)【要約】【課題】電気炊飯器等の電気調理器における液晶パネル部分の消費電力の低減を図る。【解決手段】消費電力の異なる複数の液晶パネルを組み合わせ、その時の表示用途に応じて使い分けることにより、電気炊飯器等電気調理器の調理メニューの設定情報表示時はもちろん、時計表示時、炊飯残時間表示時、保温経過時間表示時等の各種表示動作中の消費電力を節約することができるようにした。【選択図】        図２
2011139793.tif 000002
【特許請求の範囲】
【請求項１】
調理メニューその他の調理に必要な情報を表示する液晶パネルを備え、該液晶表示パネルに調理に必要な情報を表示しながら所望の電気調理を行うように構成された電気調理器であって、上記液晶パネルは、消費電力の異なる複数の液晶パネルを組み合わせて構成されていることを特徴とする電気調理器。
【請求項２】
複数の液晶パネルは、非メモリ型液晶パネルとメモリ型液晶パネルよりなることを特徴とする請求項１記載の電気調理器。
【請求項３】
複数の液晶パネルは、異なる大きさのものを、部分的に重なる形で積層して構成されていることを特徴とする請求項１又は２記載の電気調理器。
【請求項４】
複数の液晶パネルは、同一の大きさのものを、全面が重なる形で積層して構成されていることを特徴とする請求項１又は２記載の電気調理器。
【請求項５】
複数の液晶パネルは、表示パターンの表示形態が同一のものに構成されていることを特徴とする請求項１，２，３又は４記載の電気調理器。
【発明の詳細な説明】
【技術分野】
【０００１】
本願発明は、液晶パネルを備えた電気炊飯器等の電気調理器の構成に関するものである。
【背景技術】
【０００２】
電気調理器の一例としての、例えば電気炊飯器では、マイコン制御手段を備え、例えば白米、無洗米、早炊き、すしめし、炊き込み、玄米、おかゆ等の各種の炊飯メニュー（調理メニュー）の選択設定と、それらに対応した炊飯工程の制御並びに保温制御（調理工程等の制御）を行えるようにしたものが多くなっている。また、保温の場合にも、例えば標準保温やつやつや保温などの保温メニューに加え、高め、低め、標準等任意の保温温度の設定が可能となっている。
【０００３】
そして、これら各種炊飯又は保温メニューの選択設定は、炊飯器本体の外ケース前面側又は蓋ユニットの上面側等に設置されている各種操作キーを備えた操作パネルに対応して設けられ、その操作設定状態を表示する液晶パネルを使用して行われるようになっており、操作キーにより必要な選択設定操作が行われると、その設定メニュー、設定内容が液晶パネルに表示され、それに対応した炊飯又は保温メニューのプログラムが上記マイコン制御手段側のメモリ部から自動的に読み出されて、適切な炊飯又は保温制御が実行されるようになっている（例えば特許文献１を参照）。
【０００４】
これらの事情は、例えば電気圧力調理鍋その他の各種電気調理器の場合にも同様である。
【０００５】
【特許文献１】特開平１１−１３７４２１号公報（明細書第１−８頁、図１−１１）
【発明の開示】
【発明が解決しようとする課題】
【０００６】
ところが、従来の電気炊飯器等の電気調理器に使用されている液晶パネルは、非メモリ型（単安定型）のものであり、その駆動回路に常時駆動電圧を印加しておかなければ表示状態を維持することができない。したがって、常時駆動電力を必要とし、時刻表示や残時間表示、経過時間表示などの長時間に亘って表示される表示内容の場合には、省エネ性能向上の見地から何らかの解決を図るべき課題の一つとなっている。この問題は、表示情報量が多く、電気光学的な応答性が高い高機能の液晶パネルや表示面積が大きい液晶パネルほど顕著である。
【０００７】
このような問題を解決する方法として、例えば電子ブックなどで使用されている低機能ではあるが消費電力の小さなメモリ型液晶を採用することも考えられる。
【０００８】
しかし、このような低機能、低消費電力のメモリ型液晶は、通常の非メモリ型液晶に比べて表示容量が小さく、操作入力に対応した応答速度が遅い問題があり、表示情報の更新周期の長い時刻表示や残時間表示などには適しているが、調理メニュー設定時のように、表示すべき情報量が多く、操作入力に対してリアルタイムでの表示内容の変化が要求される場合には適さない問題がある。
【０００９】
本願発明は、このような課題を解決するためになされたものであって、消費電力の異なる複数の液晶パネルを組み合わせ、その時の表示用途に応じて適切に使い分けることにより、電気炊飯器等電気調理器の調理メニューの設定情報表示時はもちろん、時計表示時、調理残時間表示時、調理経過時間表示時等の各種表示動作中の消費電力を大きく節約することができるようにした電気調理器を提供することを目的とするものである。
【課題を解決するための手段】
【００１０】
本願各発明は、上記の目的を達成するために、それぞれ次のような課題解決手段を備えて構成されている。
【００１１】
（１）  請求項１の発明
この発明の電気調理器は、調理メニューその他の調理に必要な情報を表示する液晶パネルを備え、該液晶表示パネルに調理に必要な情報を表示しながら所望の電気調理を行うように構成された電気調理器であって、上記液晶パネルは、消費電力の異なる複数の液晶パネルを組み合わせて構成されていることを特徴としている。
【００１２】
このような構成によると、例えば調理メニューの選択設定時などの表示すべき情報量は多いが、表示している時間が短かい操作キー操作時には、消費電力が大きいが、表示容量が多く、高機能で、操作入力に対する応答性に優れた液晶パネルを駆動して調理メニューの設定に必要な多くの情報をユーザーに分りやすく表示する。
【００１３】
他方、調理開始時から調理終了時に到る間の時刻表示時や残時間表示時、または調理完了後の保温経過時間表示時などの、表示時間が長く、表示すべき情報の量が少なく、表示情報の更新周期も長いような時には、必ずしも表示機能が高く、応答性に優れたものでなくても足りる。したがって、消費電力の小さな液晶パネルを使用して真に必要な情報のみを表示することにより、可及的に消費電力の低減を図る。
【００１４】
この結果、この発明の構成によると、調理メニュー設定時等の調理情報表示の明確性、利便性と調理中、保温中等の長時間表示における省エネ性との両立を図ることができ、高機能の液晶パネル自体の長寿命化にも寄与し得る。
【００１５】
また、停電時や販売店の店頭での陳列時などのバッテリ使用時のバッテリ寿命の延命化にもつながる。
【００１６】
（２）  請求項２の発明
この発明の電気調理器は、上記請求項１の発明の構成において、複数の液晶パネルは、非メモリ型液晶パネルとメモリ型液晶パネルよりなることを特徴としている。
【００１７】
非メモリ型の液晶パネルは、消費電力は大きいが、高機能で、表示できる情報量も多く、設定操作に対する表示内容変化の応答性も高い。したがって、調理メニュー等選択設定時の調理メニュー情報の表示に適している。
【００１８】
一方、メモリ型の液晶パネルは、メモリ機能を有し、電源がカットされても、それまでの表示状態を維持することができる。したがって、必要な消費電力は極めて小さい。そのため、調理開始後の時計表示、調理残時間表示、保温経過時間表示や停電時および販売店店頭におけるバッテリ使用による時計表示などに適している。
【００１９】
（３）  請求項３の発明
この発明の電気調理器は、上記請求項１又は２の発明の構成において、複数の液晶パネルは、異なる大きさのものを、部分的に重なる形で積層して構成されていることを特徴としている。
【００２０】
以上の請求項１，２の発明における複数の液晶パネルの積層には、種々の積層パターンが考えられるが、複数の液晶パネルの各々が異なる大きさで相互に部分的に重なる状態で積層するようにすると、小さい方の液晶パネルの消費電力を、その大きさを小さくした分だけ、又はより一層小さくすることができる。
【００２１】
（４）  請求項４の発明
この発明の電気調理器は、上記請求項１又は２の発明の構成において、複数の液晶パネルは、同一の大きさのものを、全面が重なる形で積層して構成されていることを特徴としている。
【００２２】
以上の請求項１，２の発明における複数の液晶パネルの積層には、種々の積層パターンが考えられるが、複数の液晶パネルの各々が同一の大きさで相互に全面が重なる状態で積層するようにすると、外観的に全く１枚の液晶パネルに見えるので、非常に見映えが良くなる。
【００２３】
（５）  請求項５の発明
この発明の電気調理器は、上記請求項１，２，３又は４の発明の構成において、複数の液晶パネルは、表示パターンの表示形態が同一のものに構成されていることを特徴としている。
【００２４】
このように複数の液晶パネルの表示パターンの表示形態を文字やマークを含めて同一の形態にすると、仮に請求項３の発明の構成のように相互に大きさを変えたものとした場合においても、外観的には全く１枚の液晶パネルに見えるので、非常に見映えが良くなる。
【発明の効果】
【００２５】
以上の結果、本願発明によると、調理メニュー等設定時の調理情報表示の明確性、利便性と調理中、保温中等における省エネ性の両立を図ることができ、さらには液晶パネル自体の長寿命化にも寄与し得る。
【００２６】
また、停電時や販売店の店頭での陳列時などのバッテリ使用時のバッテリ寿命の延命化にもつながる。
【図面の簡単な説明】
【００２７】
【図１】本願発明の実施の形態１に係る電気調理器である電気炊飯器本体の全体的な構成を示す断面図である。
【図２】同電気炊飯器本体の要部である液晶パネル部分の待機状態における表示構成を示す正面図である。
【図３】同電気炊飯器本体の要部である液晶パネル部分の調理中における表示構成を示す正面図である。
【図４】同電気炊飯器本体の要部である液晶パネル部分の調理中における他の表示構成を示す正面図である。
【図５】同電気炊飯器本体の要部である液晶パネル部分の調理中における、さらなる他の表示構成を示す正面図である。
【図６】同電気炊飯器本体の要部であるマイコン制御ユニットを中心とする制御回路部分のブロック図である。
【発明を実施するための最良の形態】
【００２８】
＜実施の形態１＞
図１〜図４は、本願発明の実施の形態１に係る電気調理器、特に、その一例としての電気炊飯器の全体および要部の構成と作用をそれぞれ示している。
【００２９】
（炊飯器本体部の構成）
この実施の形態における電気調理器の一例である電気炊飯器の炊飯器本体１は、例えば図１に示すように、内鍋（飯器）２として電磁誘導の可能な磁性金属板よりなるものが採用されている一方、当該内鍋２に対する炊飯時の加熱手段として、合成樹脂製の内ケース３を介して当該内鍋２の底壁部２ａから側壁部２ｂの略全体を包み込むように当該内鍋２の底壁部２ａの中央部側と側部側に対応する第１，第２の２組のワークコイルＣ１，Ｃ２が設けられ、また同内鍋２の側壁部２ｂの全周に対応する内ケース３の外周面部分に保温ヒータＨ１が、さらに内鍋２の開口部２ｃの上部開口面に対応する蓋ユニット４内放熱板９の上面に蓋ヒータＨ２が設けられている。
【００３０】
そして、それらの各々を、内鍋２に近い炊飯器本体１側の制御基板５Ａ（制御基板カバー５ａにより保持）と蓋ユニット４の操作パネル部２０内側の操作基板５Ｂ（操作基板カバー５ｂにより保持）とによって、適切に駆動制御することによって、適切な炊飯／調理機能と保温機能とを実現できるようになっている。
【００３１】
一方、それらの各機能に応じたタイマー予約や炊飯および保温メニュー、加熱調理メニューの選択、それら各メニューに対応した加熱量、加熱パターン、保温温度、保温時間などの選択設定操作は、例えば図２に示すように、当該電気炊飯器本体１の開口面上部にヒンジ部６を介して開閉可能に設けられた蓋ユニット４の上面側操作パネル部２０に設けられた液晶パネル部２１のパネル面に表示された調理メニュー設定情報を見ながら、各種操作スイッチ（炊飯、保温、予約、取消、時分メニューの各操作キー）２２ａ〜２２ｇを用いてユーザーにより行われ、その選択設定内容は上記マイコン制御ユニットのメモリ部にメモリされると同時に、上記操作パネル部２０の液晶パネル部２０のパネル面上に表示される。
【００３２】
そして、同選択設定情報は、インターフェイス回路を介して上記操作基板５Ｂ部分に設けられているマイコン制御ユニット（図６の制御回路の符号１０を参照）に供給され、その情報内容に応じて最終的に上記第１，第２のワークコイルＣ１，Ｃ２および保温ヒータＨ１、蓋ヒータＨ２が駆動制御される。
【００３３】
上記液晶パネル部２１は、同じく図２に示すように、炊飯、調理（例えばパン発酵／焼きなど）、保温等の各メニューの選択設定に必要な調理情報を示す第１の液晶パネル２１Ａと、現在時刻、タイマー炊飯予約時刻、炊飯完了（調理完了）までの残時間、設定された保温温度、設定された保温時間、保温開始後の保温経過時間などの時間の何れかを表示する第２の液晶パネル２１Ｂとの２つの液晶パネルを組み合わせて、外観上１つの液晶表示面を形成するように構成されている。
【００３４】
これら第１，第２の液晶パネル２１Ａ，２１Ｂは、例えば第１の液晶パネル２１Ａが、上記操作パネル部２０の液晶パネル部２１の表示面全体に対応した大きさの表示面を有する大きな液晶パネルにより構成されていて、消費電力は大きいが、表示できる情報量も多く、上記操作スイッチ２２ａ〜２２ｇを使用した調理メニュー選択設定時の操作入力に対する新たな表示および表示内容変化の応答性も高い（速い）、高機能である非メモリ型の液晶パネルが採用されている一方、第２の液晶パネル２１Ｂには、例えば現在時刻、炊飯完了残時間、設定保温時間、保温経過時間等の時計表示機能を中心とした表示機能を果たす、第１の液晶パネル２１Ａに比べて、表示部の大きさが遥かに小さくて、かつ消費電力も遥かに小さいメモリ型の液晶パネルが採用されている。
【００３５】
そして、この実施の形態の場合、例えば調理メニューの選択設定時などの表示すべき情報量が多く、応答性の高さが要求されるが、表示している時間が短かい調理メニューの選択設定時には、例えば図２に示すように、消費電力が大きいが、表示容量が大きく、高機能で、操作入力に対する応答性に優れた第１の液晶パネル２１Ａを第２の液晶パネル２１Ｂと共に駆動して調理メニューの設定に必要な多くの情報を、現在時刻と共に応答性良くユーザーに分りやすく表示する。
【００３６】
一方、調理開始時から調理終了時に到る間の時刻表示時や残時間、保温設定時間、またその後の保温経過時間表示時などの、表示時間が長い一方、表示すべき情報の量が少なく、表示すべき情報の更新周期も長くて良いような時には、例えば図３に示すように（図３は、調理途中における残時間表示の例）、機能が高く、応答性に優れたものではないが、消費電力の小さな第２の液晶パネル２１Ｂのみを駆動して（第１の液晶パネル２１ＡをＯＦＦにして）、最低限必要な情報のみを表示することにより、可及的に消費電力の低減を図るようにしている。
【００３７】
なお、この場合、図３のように調理残時間（あと００：１８分）の表示を行うに際して、上記第１の液晶パネル２１ＡのＯＦＦ状態を継続させるのではなく、例えば図４に示すように５分または１０分に１回程度現在設定されている調理メニュー「無洗米」と保温時間「３６時間」等を１〜２秒間表示するように構成することもできる。
【００３８】
もちろん、上記図３、図４のような残時間表示に変えて、図５のような時刻表示のみとすることもできる。
【００３９】
なお、図２〜図５中の符号２３ａ〜２３ｃは、それぞれ対応する操作スイッチ２２ａ〜２２ｃの操作状態を示すＬＥＤである。
【００４０】
（炊飯器制御回路部分の構成）
次に、図６は、上述のように構成された電気炊飯器の炊飯および保温制御用のマイコン制御ユニットを中心とする制御回路部分の詳細な構成を示す。
【００４１】
図６中、符号１０が上述のような炊飯加熱制御手段、保温加熱制御手段、調理メニュー等調理情報表示手段、時計表示手段、炊飯残時間表示手段、保温時間表示手段に加え、内鍋温度判定手段等を備えた炊飯・保温・表示制御用のマイコン制御ユニット（ＣＰＵ）であり、該マイコン制御ユニット１０はマイクロコンピュータを中心として構成され、例えば内鍋２の温度検知回路部、ワークコイル駆動制御回路部、発振回路部、リセット回路部、保温ヒータおよび蓋ヒータ等駆動制御回路部、調理メニュー・時計・残時間・保温時間その他の表示を行う表示制御回路部、電源回路部等を各々併設して構成されている。
【００４２】
そして、先ず上記内鍋２の底壁部２ａ側センタセンサ部の内鍋温度検知センサＳに対応して設けられた温度検知回路１１には、例えば上記内鍋温度検知センサＳによる内鍋２の底壁部２ａの温度検知信号が入力されるようになっている。
【００４３】
また、上記ワークコイル駆動制御回路部は、例えばパルス幅変調回路１２、同期トリガー回路１３、ＩＧＢＴ駆動回路１４、ＩＧＢＴ１５、共振コンデンサ１６によって形成されている。そして、上記マイコン制御ユニット１０のワークコイル駆動制御回路部により、上記パルス幅変調回路１２を制御することにより、例えば炊飯工程に応じて上記ワークコイルＣ（Ｃ１，Ｃ２）の出力値（％）および同出力値でのＯＮデューティー比（ｎ秒／１６秒）をそれぞれ適切に変えることによって、炊飯加熱工程における内鍋２の加熱温度と加熱パターンを炊飯量を考慮して適切に可変コントロールし、均一な吸水作用と加熱ムラのない御飯の炊き上げを実現するための適切な出力制御が行われるようになっている。
【００４４】
また同マイコン制御ユニット１０の保温ヒータ駆動制御回路部および蓋ヒータ駆動制御回路部により、それぞれ保温ヒータ駆動回路１７および蓋ヒータ駆動回路１８を制御することにより、例えば保温又は炊飯加熱工程に応じて上記保温ヒータＨ１、蓋ヒータＨ２の出力値（％）および同出力値でのＯＮデューティー比（ｎ秒／１６秒）をそれぞれ適切に変えることによって、保温又は炊飯加熱工程の各工程における内鍋２の加熱温度と加熱パターンとを実際の炊飯量を考慮して適切に可変コントロールするための適切な出力制御が行われるようになっている。
【００４５】
また、符号２２ａ〜２２ｇは上述した各種操作入力スイッチであり、同スイッチ２２ａ〜２２ｇの必要なものが適切に操作されると、上記マイコン制御ユニット３２側の認識手段によってユーザーの指示内容が認識され、その認識内容に応じて所望の炊飯又は保温加熱パターンを設定して上記炊飯加熱制御手段および保温加熱制御手段を適切に作動させて所望の炊飯又は保温を行うようになっている。
【００４６】
したがって、ユーザーは、上記各操作入力スイッチ２２ａ〜２２ｇを使って炊飯および保温、タイマー予約、予約時刻設定、白米、無洗米、早炊、玄米、おかゆ、炊き込み、おこわ等各種メニューの炊き分け、通常保温又は低温保温等、その他の各種の炊飯および保温機能の選択設定内容を入力すれば、それに対応した機能内容が当該マイコン制御ユニット１０内の上記認識手段を介して炊飯および保温加熱パターン設定部に自動的に設定入力され、対応する炊飯又は保温加熱制御が所望の制御パターンで適切になされる。
【００４７】
さらに、符号２１は、上記第１，第２の液晶パネル２１Ａ，２１Ｂよりなる液晶表示部である。上記液晶表示部２１の第１の液晶パネル２１Ａには、例えば図２に示すように、上記操作スイッチ２２ａ〜２２ｇのＯＮ操作に対応して所望の調理メニュー設定情報が表示され、また第２の液晶パネル２１Ｂには時計時刻や調理残時間が表示され（図２、図３、図４、図５参照）、以後設定された調理内容に応じた、時刻、残時間等の必要な表示がなされて行くようになっている。
【００４８】
なお、図２は、ＡＣ電源ＯＮ状態における調理メニュー選択設定前の待機画面の一例であり、各種調理メニュー情報と共に時計表示（時刻表示）が行われる。
【００４９】
時計表示の場合、例えば一旦メモリ型の液晶である第２の液晶パネル２１Ｂの液晶駆動回路に駆動電圧を供給し、図示のように２０：００の時刻表示を行ってから駆動電源をＯＦＦにし、その後、例えばタイマーで１分（６０秒）の経過をカウントし、同１分（６０秒）が経過すると、再び液晶駆動回路に駆動電圧を供給し、２０：０１に時刻を更新（加算）して表示する。
【００５０】
そして、同時計表示中は、この１分（６０秒）毎の駆動電圧の供給を間欠的に行なって、１分間隔の時刻表示を行なって行く。したがって、略１分弱の間は、第２の液晶パネル２１Ｂの液晶駆動回路の消費電力は不要となる。
【００５１】
そして、調理メニューの選択設定時以外は、例えば図３のように、原則として上記第１の液晶パネル２１ＡがＯＦＦにされ、このメモリ型の液晶パネルよりなる第２の液晶パネル２１Ｂのみの表示となる。
【００５２】
なお、この場合において、図３のように、第２の液晶パネル２１Ｂにより調理残時間（あと００：１８分）の表示を行うに際しては、単に上記第１の液晶パネル２１ＡのＯＦＦ状態を継続させるのではなく、例えば図４に示すように５分または１０分に１回程度現在設定されている調理メニュー「無洗米」と保温時間「３６時間」等を１〜２秒間表示するように構成することもできる。
【００５３】
また、同図３、図４のような残時間表示に変えて、図５のような時刻表示のみとすることもできる。
【００５４】
以上のように、この発明の実施の形態の電気調理器は、調理メニューその他の調理に必要な情報を表示する液晶パネル部２１を備え、該液晶表示パネル部２１に調理に必要な情報を表示しながら所望の電気調理を行うように構成された電気調理器において、その液晶パネル部２１が、消費電力の異なる第１，第２の複数の液晶パネル２１Ａ，２１Ｂよりなり、それらを組み合わせて構成されている。
【００５５】
このような構成によると、例えば調理メニューの選択設定時などの表示すべき情報量は多いが、表示している時間が短かい時には、消費電力が大きいが、高機能で、操作入力に対する応答性に優れた第１の液晶パネル２１Ａを第２の液晶パネル２１Ｂと共に駆動して調理メニューの設定に必要な多くの情報を現在時刻と共にユーザーに分りやすく表示することができる。
【００５６】
一方、調理開始時から調理終了時に到る間の時刻表示時や残時間表示、経過時間表示時、また調理終了後の保温時間表示などの、表示時間が長くて、表示すべき情報の量が少なく、しかも情報の更新周期も長いような時には、機能が高く、応答性に優れたものでなくても足りる。そこで、そのような場合には、上記消費電力の小さな第２の液晶パネル２１Ｂを使用して必要な情報を表示することにより、可及的に消費電力の低減を図る。
【００５７】
この結果、調理情報表示の明確性、利便性と省エネ性の両立を図ることができ、液晶パネル自体の長寿命化にも寄与し得る。
【００５８】
また、停電時や販売店の店頭での陳列時などのバッテリ使用時のバッテリ寿命の延命化にもつながる。
【００５９】
そして、上記第１，第２の複数の液晶パネル２１Ａ，２１Ｂは、例えば第１の液晶パネル２１Ａが非メモリ型液晶パネル、第２の液晶パネル２１Ｂがメモリ型液晶パネルにより構成される。
【００６０】
非メモリ型の液晶パネルは、消費電力は大きいが、高機能で、表示できる情報量も多く、設定操作に対する表示内容変化の応答性も高い。したがって、調理メニュー等選択設定時の調理メニュー情報の表示に適している。
【００６１】
一方、メモリ型の液晶パネルは、メモリ機能を有し、上述したように電源がカットされても、それまでの表示状態を維持することができる。したがって、必要な消費電力は極めて小さくて済む。そのため、調理開始後の時計表示、炊飯残時間表示、保温経過時間表示や販売店店頭でのバッテリによる時計表示などに適している。
【００６２】
また、以上の構成では、上記第１，第２の複数の液晶パネル２１Ａ，２１Ｂは、例えば第１の液晶パネル２１Ａの方が大きくて、第２の液晶パネル２１Ｂの方が小さく、例えば図１〜図３のように、第１の液晶パネル２１Ａの上部に第２の液晶パネル２１Ｂが部分的に重なる形で積層して構成されている。
【００６３】
以上の第１，第２の複数の液晶パネル２１Ａ，２１Ｂの組み合わせには、種々の積層パターンが考えられるが、第１，第２の複数の液晶パネル２１Ａ，２１Ｂの各々が異なる大きさで、図１〜図３のように相互に部分的に重なる状態で積層するようにすると、本来消費電力が小さく、大きさも小さい方の第２の液晶パネル２１Ｂの消費電力を、当該大きさを小さくした分だけ、さらに駆動時の電力をも小さくすることができる。したがって、本来消費電力の小さい第２の液晶パネル２１Ｂの消費電力を、さらに小さくすることができる。
【００６４】
しかも、その場合において、それら第１，第２の複数の液晶パネル２１Ａ，２１Ｂは、表示パターンの表示形態が同一のものに構成されている。
【００６５】
したがって、上記図１〜図３のように相互に大きさを変えて上下に積層した場合においても、外観的には全く１枚の液晶パネルに見えるので、非常に見映えが良くなる。
【００６６】
＜実施の形態２＞
以上の実施の形態１の構成では、第１，第２の液晶パネル２１Ａ，２１Ｂは、異なる大きさのものを、部分的に重なる形で積層するようにしたが、これら第１，第２の液晶パネル２１Ａ，２１Ｂは、例えば同一の大きさのものを、上部側第２の液晶パネル２１Ｂの不要部を透明にするなどの方法により、全面が重なる形で積層して構成することもできる。
【００６７】
このように、第１，第２の液晶パネル２１Ａ，２１Ｂの各々が同一の大きさで全体に重なる状態で積層するようにすると、外観的に全く１枚の液晶パネルに見えるので、非常に見映えが良くなる。
【００６８】
＜実施の形態３＞
以上の実施の形態１の構成では、第１，第２の液晶パネル２１Ａ，２１Ｂを上下に積層することにより組み合わせるようにした。
【００６９】
しかし、これは、例えば第１の液晶パネル２１Ａの所定のエリアを部分的に切り欠き、同部分に第２の液晶パネル２１Ｂを配置することにより、同一平面上に配置して組み合わせることも、もちろん可能である。
【００７０】
このような構成の場合、上下方向の厚さが１／２で済み、蓋ユニット４の上面に設置する場合に有利となる。
【符号の説明】
【００７１】
Ｃ１，Ｃ２，Ｃはワークコイル、Ｈ１は保温ヒータ、Ｈ２は蓋ヒータ、１は炊飯器本体、２は内鍋、３は内ケース、４は蓋ユニット、５Ａは制御基板、５Ｂは操作基板、１０はマイコン制御ユニット、２０は操作パネル、２１は液晶パネル部、２１Ａは第１の液晶パネル、２１Ｂは第２の液晶パネルである。
【図１】
2011139793.tif 000003
【図２】
2011139793.tif 000004
【図３】
2011139793.tif 000005
【図４】
2011139793.tif 000006
【図５】
2011139793.tif 000007
【図６】
2011139793.tif 000008